(57)【特許請求の範囲】
【請求項１】
リール本体に設けられ、釣糸が巻回されるスプールと、
前記リール本体の前部に設けられ、前記スプールを回転駆動する電動モータと、
前記電動モータを収容するモータケースと、
前記リール本体に取り付けられ、前記モータケースの前方となる部位に配置される前側板と、を備え、
前記前側板は、前記スプールを支持するスプール軸方向に延在する釣糸案内用の窓孔と、前記窓孔の下方に配置され、前記窓孔に倣って前記スプール軸方向に延在する開口部と、前記窓孔と前記開口部との間に設けられ、前方下方向に傾斜する傾斜部と、を備えており、
前記モータケースと前記前側板との間には、金属材で薄板の断面円弧状に形成された放熱部材が介設されており、
前記放熱部材は、前記開口部から前記前側板の前方に臨んでいることを特徴とする魚釣用電動リール。
【発明の詳細な説明】
【技術分野】
【０００１】
本発明は駆動用の電動モータを備えた魚釣用電動リールに関する。
【背景技術】
【０００２】
一般的に、魚釣用電動リールは、リール本体の側板間に回転可能に支持されたスプールを巻き取り駆動する電動モータを備えている。魚釣用電動リールは、実釣において、おもり、仕掛け、魚等によって張力の加わった釣糸を多量に巻き取らなければならない。
魚釣用電動リールの電動モータは、両側板間およびスプールに囲まれるように配置されているため、放熱性が思わしくなかった。このため、張力が加わった釣糸を多量に巻回していると、電動モータが加熱し易くなり、モータ性能が低下して巻き上げ効率が悪くなる等の問題がある。
【０００３】
このような電動モータの放熱性を向上させた魚釣用電動リールとして、例えば、特許文献１に開示されたものが知られている。特許文献１の魚釣用電動リールでは、電動モータを収容するモータケースと、このモータケースに取り付けられた放熱部材と、を備えている。
特許文献１の魚釣用電動リールでは、駆動により電動モータから発せられる熱を放熱部材を介して外気に放熱することができる。
【先行技術文献】
【特許文献】
【０００４】
【特許文献１】特開平８−２４２７３４号公報
【発明の概要】
【発明が解決しようとする課題】
【０００５】
しかしながら、特許文献１の魚釣用電動リールでは、リール本体に放熱部材がむき出し状態で設けられているため、実釣時等に使用者の手指等が放熱部材に誤って触れるおそれがあり、これを改善したいという要望があった。また、放熱部材の形状によっては、糸フケ等により膨らんだ釣糸が放熱部材に絡みつくおそれもあり、魚釣操作性が低下するといった課題があった。
【０００６】
本発明は、前記課題を解決するためになされたものであり、手指等とモータケースとの接触を防止しつつ、モータケースの放熱性を向上させることができる魚釣用電動リールを提供することを課題とする。
【課題を解決するための手段】
【０００７】
このような課題を解決する本発明の魚釣用電動リールは、リール本体に設けられ、釣糸が巻回されるスプールと、前記リール本体の前部に設けられ、前記スプールを回転駆動する電動モータと、前記電動モータを収容するモータケースと、前記リール本体に取り付けられ、前記モータケースの前方となる部位に配置される前側板と、を備え、前記前側板は、前記スプールを支持するスプール軸方向に延在する釣糸案内用の窓孔と、前記窓孔の下方に配置され、前記窓孔に倣って前記スプール軸方向に延在する開口部と、前記窓孔と前記開口部との間に設けられ、前方下方向に傾斜する傾斜部と、を備えており、前記モータケースと前記前側板との間には、金属材で薄板の断面円弧状に形成された放熱部材が介設されており、前記放熱部材は、前記開口部から前記前側板の前方に臨んでいることを特徴とする。
【０００８】
この魚釣用電動リールによれば、モータケースの前方となる部位を前側板で覆いつつ、電動モータからモータケースに伝わった熱を、前側板に形成された開口部を通じて外気に放熱することができる。
【００１０】
また、釣糸巻き取り時に釣糸に付着した水滴を窓孔通過時に傾斜部に対して滴下することができる。傾斜部に滴下された水滴は、傾斜部上を下って開口部に流れる。これにより、開口部に流れた水滴によって放熱部材が冷却され、モータケースを好適に冷却することができる。
【００１１】
また、開口部は、窓孔に倣って、スプール軸方向に延在しているので、窓孔通過時に窓孔の延在方向に亘って滴下された水滴は、傾斜部上を下って開口部の延在方向に亘って開口部に流れる。これにより、開口部の延在方向に亘って放熱部材が冷却され、モータケースを水滴により冷却することができる。
【発明の効果】
【００１４】
本発明の魚釣用電動リールによれば、モータケースの前方となる部位を前側板で覆いつつ、電動モータから発せられてモータケースに伝わった熱を、前側板に形成された開口部を通じて外気に放熱することができる。したがって、使用者の手指等とモータケースとの接触を防止しつつ、モータケースの放熱性を向上させることができる。これにより、魚釣操作性が向上する、また、電動モータの耐久性も向上する。
【００１５】
また、通常用いられる前側板に開口部を形成することで、電動モータからモータケースに伝わった熱を外気に放熱することができるので、大きな設計変更を行わずにモータケースの放熱性を向上させることができる。
【００１６】
また、釣糸巻き取り時に釣糸に付着した水滴を利用してモータケースを冷却することができるので、使用者の手指等とモータケースとの接触を防止しつつ、モータケースの放熱性を向上させることができる。
【００１７】
また、窓孔通過時に窓孔の延在方向に亘って滴下された水滴で、開口部の延在方向に亘ってモータケースを冷却することができるので、使用者の手指等とモータケースとの接触を防止しつつ、電動モータの放熱性をより向上させることができる。
【００１８】
また、電動モータからモータケースに伝わった熱を放熱部材を介して開口部から外気に好適に放熱することができ、使用者の手指等とモータケースとの接触を防止しつつ、モータケースの放熱性をより向上させることができる。
【図面の簡単な説明】
【００１９】
【図１】本発明の一実施形態に係る魚釣用電動リールを示す平面図である（一部省略）。
【図２】同じく右後方斜め上方から見た魚釣用電動リールの斜視図である。
【図３】（ａ）は右フレームから支持部を取り外したリール本体の分解斜視図、（ｂ）は右フレームに支持部を固定したリール本体の側面図である。
【図４】（ａ）は右フレームから右側板を取り外したリール本体の分解斜視図、（ｂ）は右フレームに右側板を固定したリール本体の側面図である。
【図５】蓋体、側部放熱部材および右側板を取り外したリール本体の分解斜視図である。
【図６】（ａ）は前側板の正面図、（ｂ）はリール本体の正面図である。
【図７】前部放熱部材および前側板を取り外したリール本体の分解斜視図である。
【図８】前部放熱部材および前側板を右後方斜め上方から見た分解斜視図である。
【図９】図４（ｂ）のＣ−Ｃ線に沿う拡大断面図である。
【発明を実施するための形態】
【００２０】
以下、本発明に係る魚釣用電動リールの実施形態について図面を参照して説明する。以下の説明において、「前後」「左右」を言うときは、図１，図２示した方向を基準とし、「上下」を言うときは、図２に示した方向を基準とする。
【００２１】
図１に示すように、魚釣用電動リールは、フレーム２と、このフレーム２を覆うように配設されるカバー部材としての側板３と、を備えたリール本体１を有している。
フレーム２は、リール本体１の骨格をなす部分であり、左フレーム２ａ、右フレーム２ｂ、およびスプール５の前方に配設される前フレーム２ｃ（図５〜図７参照）を備えてなる。これらの左フレーム２ａ、右フレーム２ｂ、前フレーム２ｃは、全体として一体に形成されている。なお、各左フレーム２ａ、右フレーム２ｂ、前フレーム２ｃを別体に形成して、固定手段等により一体化してもよいし、部分的に一体に形成してもよい。
【００２２】
左右フレーム２ａ，２ｂは、複数の図示しない支柱を介して一体化されている。下方の図示しない支柱には、釣竿のリールシートに装着される図示しないリール脚が設けられている。
このような左右フレーム２ａ，２ｂ、前フレーム２ｃからなるフレーム２は、例えば、アルミニウム合金、マグネシウム合金等の金属材で形成することができる。
左右フレーム２ａ，２ｂの上縁には、カウンターケース１４が載置されている。
【００２３】
前フレーム２ｃは、左右フレーム２ａ，２ｂに開口部（不図示）を有する略円筒状を呈しており、その内部には、電動モータＭ（図５参照）が収容される。前フレーム２ｃは、電動モータＭを収容するモータケース６０（図５参照）の一部として機能している。モータケース６０の詳細は後記する。
【００２４】
側板３は、左フレーム２ａを覆う左側板３０Ａと、右フレーム２ｂを覆う右側板３０Ｂと、前フレーム２ｃを覆う前側板３０Ｃと、を備え、釣人の手によって握持されたり、保持されたりする部分（釣人の手が接触する部分）となる。
左側板３０Ａ、右側板３０Ｂおよび前側板３０Ｃは、個々に合成樹脂製の一体成形品であり、左フレーム２ａ、右フレーム２ｂおよび前フレーム２ｃにそれぞれ装着される。
【００２５】
右フレーム２ｂには、支持部３１が着脱可能に固定されている。すなわち、右フレーム２ｂは、相互に別体とされた２つの部材（右側板３０Ｂおよび支持部３１）で覆われている。支持部３１は、後記するように、巻き取り操作されるハンドル７０のハンドル軸７およびピニオンギャ軸９ｊを支持している。
【００２６】
図１に示すように、左右フレーム２ａ，２ｂ間には、釣糸が巻回されるスプール５が回転自在に支持されている。
また、スプール５の前方には、電動モータＭが配置されており、スプール５は、ハンドル７０の巻き取り操作、および電動モータＭの回転駆動によって、駆動力伝達機構をなす公知の減速機構Ｇ１等を介して釣糸巻き取り方向に回転駆動される。
電動モータＭは、カウンターケース１４の後方側におけるフレーム２の上部に設けた操作レバー６の前後方向の回動操作で、モータ出力が増減調節される。
【００２７】
スプール５は、釣糸が巻回される釣糸巻回胴部５ａを備えており、その両端には、巻回される釣糸を規制するフランジ５ｂ，５ｃが形成されている。スプール５は、スプール軸５ｄに図示しない軸受を介して左右フレーム２ａ，２ｂに支持されている。
【００２８】
スプール５には、減速機構Ｇ１および右フレーム２ｂに設けられた公知の減速機構Ｇ２を介して駆動力が伝達されるようになっている。
減速機構Ｇ１は、電動モータＭの側方に設けられており、電動モータＭの出力を減速する。減速機構Ｇ１により減速された回転駆動力は、公知の動力伝達部Ｇ３を介してスプール軸５ｄに伝達される。
また、減速機構Ｇ２は、右フレーム２ｂ側に設けられており、スプール軸５ｄの回転駆動力を減速してスプール５に伝達するようになっている。
スプール５には、図９に示すように、ブラケット５５を介してピニオンギャ軸９ｊが連結されている。
【００２９】
右フレーム２ｂを覆う支持部３１は、金属製、例えば、アルミニウム合金、マグネシウム合金等からなる一体成形品である。支持部３１は、ハンドル軸７の周りに配置される部材であり、右フレーム２ｂに対して直接固定されている。右側板３０Ｂは、支持部３１を囲うように配置される部材であり、右フレーム２ｂに対して直接固定されている。支持部３１はアルマイト加工処理等によりカラーリング可能である。
【００３０】
支持部３１は、図３（ａ）（ｂ）に示すように、ハンドル軸支持部３１ａと、ピニオンギャ軸支持部３１ｂと、を備えている。
ハンドル軸支持部３１ａの内側には、図９に示すように、複数の制動板３２ａを備えるドラグ機構３２、およびドライブギャ８が収容されている。ハンドル軸支持部３１ａは、ベアリング部材３１ｄおよびホルダー３２ｂを介してハンドル軸７の一端を支持している。ハンドル軸７にはドラグ機構３２を介してドライブギャ８が摩擦結合している。なお、ハンドル軸７の基端７ａは右フレーム２ｂに公知のように回転自在に抜け止め支持されている。なお、ハンドル軸７は、公知のように逆転防止機構により、釣糸巻き取り方向の正回転を許容し、釣糸繰り出し方向の逆回転が阻止されるように構成されている。
【００３１】
ピニオンギャ軸支持部３１ｂの内側には、図９に示すように、ピニオンギャ９が収容されている。ピニオンギャ軸支持部３１ｂの底部３１ｅには、軸受けとなるベアリング部材３１ｆを介してピニオンギャ軸９ｊの先端部が支持されている。ピニオンギャ軸９ｊは、スプール５に連結されている。ピニオンギャ９には、ドライブギャ８が噛合している。
また、ピニオンギャ軸支持部３１ｂの内側には、図９に示すように、公知のクラッチ機構を構成するスライドプレート９ａの一部が収容されている。
支持部３１は、図３（ａ）（ｂ）に示すように、複数本の固定用ねじ３１ｍ，３１ｎで右フレーム２ｂに直接固定されている。つまり、支持部３１は、右側板３０Ｂとは独立して右フレーム２ｂに固定されている。
【００３２】
右側板３０Ｂは、支持部３１と別体に形成されており、右フレーム２ｂに対して独立して固定される部材である。右側板３０Ｂには、開口部３３が形成されており、この開口部３３を通じて、支持部３１のハンドル軸支持部３１ａおよびピニオンギャ軸支持部３１ｂが右側板３０Ｂの右側方に露出する状態で突出している（図２，図９参照）。
【００３３】
開口部３３の後方上縁部には、右側方に向けて延在する支持部３５が形成されている。支持部３５は、図４（ａ）（ｂ）に示すように、側面視で略四角形状を呈している。支持部３５には、公知のクラッチ機構を操作するための操作レバー３８が取り付けられている。操作レバー３８を回動操作することによって、スライドプレート９ａ（図４（ａ），図９参照）がスライドされ、クラッチ機構の係脱（オンオフ）がなされる。
【００３４】
右側板３０Ｂの前部には、図４（ａ）（ｂ）に示すように、側面視略円形状のモータカバー部３４が形成されている。モータカバー部３４には、電動モータＭ（図５参照）の放熱用の開口部３４ａが複数形成されている。モータカバー部３４の内側には、図５に示すように、円板状の側部放熱部材３７が配置されている。開口部３４ａの大きさは、実釣時に使用者の指等が入らない程度の大きさに形成されている。
【００３５】
側部放熱部材３７は、例えば、放熱性のよい、アルミニウム合金、マグネシウム合金、銅合金等の金属材で形成されている。側部放熱部材３７の右側面には、周溝３７ａが形成されている。この周溝３７ａにより、側部放熱部材３７の右側面の放熱面積が増大している。側部放熱部材３７は、前記開口部３４ａを通じてモータカバー部３４の側方から臨まれる（開口部３４ａ内に露出している（図４（ｂ）参照）。側部放熱部材３７は、図９に示すようにＯリング３４ｐを介して、モータカバー部３４の内面に密着している。側部放熱部材３７はアルマイト加工処理等によりカラーリング可能である。
【００３６】
電動モータＭは、図７に示すように、モータケース６０に収容されている。モータケース６０は、前記した前フレーム２ｃと、蓋体６２（図９参照）とから構成されている。前フレーム２ｃは、電動モータＭを収容可能な内径を有している。前フレーム２ｃは、左右フレーム２ａ，２ｂと一体に設けられている。蓋体６２は、電動モータＭの右側部を覆っている。蓋体６２は、有底円筒状を呈しており、図９に示すように、前フレーム２ｃの右縁部６３にＯリング６３ａを介してインロー嵌合されている。蓋体６２は、図５に示すように、開口縁のフランジ部６２ｆに設けられた各ねじ孔６２ｇにねじ６２ｈを挿通し、これを右フレーム２ｂに螺合することで右フレーム２ｂに固定される。
【００３７】
蓋体６２の周面には、電動モータＭの電線Ｍ１が引き出される引出口６２ａが形成されている。なお、電線Ｍ１は、電動モータＭの導出部Ｍ５（図５参照）から引出口６２ａを通じて径方向に引き出されている。電線Ｍ１は、カウンターケース１４（制御基板）側の図示しない電線と接続される。
【００３８】
蓋体６２の底部６２ｂには、図５，図９に示すように、右側方に突出する係合部６２ｃが形成されている。係合部６２ｃは、側部放熱部材３７の対向面に形成された丸形の凹部３７ｃ（図９参照）に係合される。また、係合部６２ｃの内側には、図９に示すように、電動モータＭの軸部Ｍ２が挿入される挿入穴６２ｅが形成されている。底部６２ｂの内面（左側面）には、電動モータＭ側へ向けて突出する係合突部６２ｆが形成されている。この係合突部６２ｆは、電動モータＭの右側部に設けられた係合穴Ｍ３に係合可能である。この係合により、電動モータＭの右側部が蓋体６２に位置決めされる。
【００３９】
電動モータＭから発生した熱は、モータケース６０の一部である蓋体６２を介して側部放熱部材３７に伝わり、側部放熱部材３７から右側板３０Ｂの開口部３４ａを通じてリール本体１の右側方の外気に放熱される。
【００４０】
このような開口部３４ａを有する右側板３０Ｂは、図４（ｂ）に示すように、その周縁部に間隔を空けて設けられたねじ孔３６ａに固定ねじ３６ｂをそれぞれ挿通し、これらを右フレーム２ｂに螺合することで右フレーム２ｂに固定される。
【００４１】
前側板３０Ｃは、図６，図７に示すように、前フレーム２ｃに取り付けられる部材である。前側板３０Ｃは、モータケース６０を構成する前フレーム２ｃの一部を覆う指ガード用のカバーとして機能する。つまり、前側板３０Ｃは、モータケース６０に指が誤って触れてしまうのを好適に防止している。前側板３０Ｃと前フレーム２ｃとの間には、前部放熱部材３５０が介設されている。
【００４２】
前側板３０Ｃは、下部３０１と、側部３０２，３０３と、上部３０４と、前部３０５と、傾斜部３２５と、を備えている。
前側板３０Ｃは、図６（ａ）に示すように、側部３０２，３０３と、前部３０５と、傾斜部３２５と、によって囲われる第１の開口部３２１を有している。また、前側板３０Ｃは、側部３０２，３０３と、下部３０１と、前部３０５と、によって囲われる第２の開口部３２２を有している。また、前側板３０Ｃは、側部３０２，３０３と、前部３０５と、上部３０４と、によって囲われる、釣糸案内用の窓孔３２３を有している。窓孔３２３は、スプール軸５ｄ（図１参照）方向に延在しており、横長形状に開口している。窓孔３２３には、スプール５（図１参照）に釣糸を均等に巻回するための図示しないガイド部材が設けられている。ガイド部材は、公知のレベルワインド機構により窓孔３２３に沿って左右方向に移動可能である。
【００４３】
第１の開口部３２１および第２の開口部３２２は、窓孔３２３の形状に倣って左右方向に延在している。これらの開口部３２１，３２２は、いずれも、図７に示すように、前フレーム２ｃ（モータケース６０）に対向している。
第１の開口部３２１は、図６（ａ）（ｂ）に示すように、窓孔３２３の下方位置となる、前側板３０Ｃの上下方向の略中央部に形成されている。窓孔３２３と第１の開口部３２１との間には、傾斜部３２５が形成されている。傾斜部３２５は、窓孔３２３から前方下方向に傾斜する面を有している。第１の開口部３２１は、窓孔３２３と略同程度の開口面積を有している。
【００４４】
第２の開口部３２２は、前部３０５を挟んで第１の開口部３２１の下方に形成されている。第２の開口部３２２は、第１の開口部３２１よりも小さい開口面積を有している。
このような第１の開口部３２１および第２の開口部３２２から、図６（ｂ）に示すように、前部放熱部材３５０が臨んでいる。第１の開口部３２１および第２の開口部３２２は、実釣時にリール本体１を把持する使用者の指等が直接に触れないように側部３０２，３０３でガードされて、モータケース６０（前部放熱部材３５０）が内側（後側）に引っ込んでいる。また、第１の開口部３２１および第２の開口部３２２の大きさもは、実釣時に使用者の指等が入り難いらない程度の大きさに形成されることが好ましい。
【００４５】
側部３０２の上端部には、図８に示すように、後方へ向けて延在し左フレーム２ａ（図７参照）に取り付けられる延出部３０６が形成されている。同様に，側部３０３の上端部には、後方へ向けて延在し右フレーム２ｂ（図７参照）に取り付けられる延出部３０７が形成されている。
【００４６】
前部３０５の後面には、図８に示すように、補強用の縦リブ３０８が設けられている。縦リブ３０８は、第１の開口部３２１と第２の開口部３２２とに亘って形成されている。
また、下部３０１の後面には、同様に補強用の縦リブ３０９が設けられている。
【００４７】
窓孔３２３の後部開口縁３２６には、左右一対の係合突部３２７，３２７と、左右一対のねじ穴３２９，３２９とが形成されている。また、下部３０１の後面には、縦リブ３０９を挟むように左右一対のボス部３０１ａ，３０１ａが形成されている。
【００４８】
前部放熱部材３５０は、図８に白抜き矢印で示すように、前側板３０Ｃの後面に取り付けられる。前部放熱部材３５０は、薄板であり、図７に示すように、前フレーム２ｃの外形状に倣う断面円弧状を呈している。前部放熱部材３５０は、例えば、放熱性のよい、アルミニウム合金、マグネシウム合金、銅合金等の金属材で形成されている。前部放熱部材３５０はアルマイト加工処理等によりカラーリング可能である。
【００４９】
前部放熱部材３５０の上端部には、図８に示すように、上方へ折り曲げられた折曲部３５２が形成されている。折曲部３５２には、左右一対の係合穴３５５，３５５および左右一対のねじ挿通孔３５６，３５６が形成されている。左右一対の係合穴３５５，３５５は、前側板３０Ｃの左右一対の係合突部３２７，３２７に対応しており、係合突部３２７，３２７に係合可能である。左右一対のねじ挿通孔３５６，３５６は、前側板３０Ｃの左右一対のねじ穴３２９，３２９に対応して形成されている。前部放熱部材３５０の上端部（折曲部３５２）は、各ねじ挿通孔３５６に図示しないねじを挿通し、各ねじを前側板３０Ｃのねじ穴３２９にそれぞれ螺合することによって、前側板３０Ｃに固定される。
【００５０】
一方、前部放熱部材３５０の下端部には、下方へ折り曲げられた左右一対の取付片３５３，３５３が形成されている。各取付片３５３には、ねじ孔３５７が形成されている。ねじ孔３５７は、前側板３０Ｃの左右一対のボス部３０１ａ，３０１ａに対応している。前部放熱部材３５０の下端部（各取付片３５３）は、各ねじ孔３５７に図示しないねじを挿通し、各ねじを前側板３０Ｃのボス部３０１ａにそれぞれ螺合することによって、前側板３０Ｃに固定される。
【００５１】
電動モータＭから発生した熱は、モータケース６０の一部である前フレーム２ｃを介して前部放熱部材３５０に伝わり、前部放熱部材３５０から前側板３０Ｃの２つの開口部３２１，３２２を通じてリール本体１の前方の外気に放熱される。
なお、前部放熱部材３５０は、モータケース６０の一部である前フレーム２ｃに対して密着してもよいし、密着せずに若干の隙間を空けて対向配置されてもよい。また、前部放熱部材３５０は、前側板３０Ｃに固定されるものに限られることはなく、前フレーム２ｃや左右フレーム２ａ，２ｂに対して固定されるものであってもよい。
【００５２】
以上説明した本実施形態の魚釣用電動リールによれば、電動モータＭの周囲を前側板３０Ｃや右側板３０Ｂで覆いつつ、電動モータＭからモータケース６０（前フレーム２ｃ，蓋体６２）に伝わった熱を、第１の開口部３２１、第２の開口部３２２および開口部３４ａを通じて外気に放熱することができる。したがって、使用者の手指等とモータケース６０との接触を防止しつつ、モータケース６０の放熱性を向上させることができる。これにより、魚釣操作性が向上する、また、電動モータＭの耐久性も向上する。
【００５３】
また、前側板３０Ｃや右側板３０Ｂといった通常用いられる部材に開口部３２１，３２２，３４ａを形成することで、電動モータＭからモータケース６０に伝わった熱を外気に放熱することができるので、大きな設計変更を行わずにモータケース６０の放熱性を向上させることができる。
【００５４】
また、前側板３０Ｃは、窓孔３２３と第１の開口部３２１との間に傾斜部３２５が設けられているので、釣糸巻き取り時に釣糸に付着した水滴を窓孔３２３の通過時に傾斜部３２５に対して滴下することができる。傾斜部３２５に滴下された水滴は、傾斜部３２５上を下って第１の開口部３２１に流れる。これにより、第１の開口部３２１に流れた水滴によって前部放熱部材３５０（モータケース６０）を好適に冷却することができる。
このように、釣糸巻き取り時に釣糸に付着した水滴を利用して前部放熱部材３５０（モータケース６０）を冷却することができるので、使用者の手指等とモータケース６０との接触を防止しつつ、モータケース６０の放熱性を向上させることができる。
【００５５】
また、第１の開口部３２１は、窓孔３２３に倣って、スプール軸５ｄ方向に延在しているので、窓孔３２３の通過時に窓孔３２３の延在方向に亘って滴下された水滴は、傾斜部３２５上を下って第１の開口部３２１の延在方向に亘って第１の開口部３２１に流れる。これにより、第１の開口部３２１の延在方向に亘って前部放熱部材３５０（モータケース６０）を水滴により冷却することができる。
【００５６】
また、開口部３４ａの内側にモータケース６０からの熱を受ける側部放熱部材３７が配置されており、さらに、第１の開口部３２１の内側にモータケース６０からの熱を受ける前部放熱部材３５０が配置されているので、これらを介して外気にモータケース６０の熱を効率よく放熱することができる。したがって、使用者の手指等とモータケース６０との接触を防止しつつ、モータケース６０の放熱性をより向上させることができる。
【００５７】
以上、本発明の実施形態について説明したが、本発明は、上記した実施形態に限定されることはなく、種々変形することが可能である。
例えば、前記実施形態では、前側板３０Ｃに第１の開口部３２１および第２の開口部３２２を設け、右側板３０Ｂに開口部３４ａを設けたが、これに限られることはなく、いずれか一方に設けてもよい。また、前側板３０Ｃは、第１の開口部３２１および第２の開口部３２２の両方を備えるものに限られることはなく、いずれか、一方でもよい。
また、第１の開口部３２１、第２の開口部３２２および開口部３４ａの数や形状は限定されず、適宜、設計仕様により設定されて形成される。
【００５８】
また、第１の開口部３２１に使用者の指が入り込まない程度の間隔でスリットを設けてもよい。このようなスリットを設けることによって、実釣時に使用者の指等が前部放熱部材３５０に触れるのをより確実に防止することができる。
【００５９】
また、前部放熱部材３５０や側部放熱部材３７は、必ずしも設けなくてもよい。この場合には、右側板３０Ｂの開口部３４ａや前側板３０Ｃの第１の開口部３２１、第２の開口部３２２にモータケース６０を直接臨ませる構成を採用することができる。
【符号の説明】
【００６０】
１      リール本体
３      側板
５      スプール
３０    モータケース
３７    側部放熱部材（放熱部材）
３０Ａ  左側板（カバー部材）
３０Ｂ  右側板（カバー部材）
３０Ｃ  前側板（カバー部材）
３４ａ  開口部
３２１  第１の開口部（開口部）
３２２  第２の開口部（開口部）
３２３  窓孔
３２５  傾斜部
３５０  前部放熱部材（放熱部材）
Ｍ      電動モータ
【図１】
0006554059.tif 000002
【図２】
0006554059.tif 000003
【図３】
0006554059.tif 000004
【図４】
0006554059.tif 000005
【図５】
0006554059.tif 000006
【図６】
0006554059.tif 000007
【図７】
0006554059.tif 000008
【図８】
0006554059.tif 000009
【図９】
0006554059.tif 000010